(57)【要約】【課題】工期の短縮を実現し、施工性、経済性に優れた、プレキャスト鉄筋コンクリート梁部材同士の接合方法及び接合構造を提供する。【解決手段】梁部材１の接合端部に切り欠き部１ａ、１ｂを設け、同切り欠き部を貫通する貫通孔２を設け、同貫通孔の一部又は全部に埋設したスリーブ継手３を備えた構成の二つのプレキャスト鉄筋コンクリート梁部材同士を、ほぼ当接状態に近づけて対向配置に位置決めし、前記梁部材１、１の前記貫通孔２内へ跨って挿入可能なほぼＵ字形状の連結部材４、４を、外部から前記貫通孔２内のスリーブ継手３へ挿入して前記切り欠き部内へ納め、しかる後に、前記貫通孔内及び切り欠き部内へ硬化材５を充填してスリーブ継手部分を固定しプレキャスト鉄筋コンクリート梁部材同士を接合する。【選択図】図２
2008063802.tif 000002
【特許請求の範囲】
【請求項１】
プレキャスト鉄筋コンクリート梁部材同士の接合方法において、
梁部材の接合端部に切り欠き部を設け、同切り欠き部を貫通する貫通孔を設け、同貫通孔の一部又は全部に埋設したスリーブ継手を備えた構成の二つのプレキャスト鉄筋コンクリート梁部材同士を、ほぼ当接状態に近づけて対向配置に位置決めし、前記二つのプレキャスト鉄筋コンクリート梁部材の前記貫通孔内へ跨って挿入可能なほぼＵ字形状の連結部材を、外部から前記貫通孔内のスリーブ継手へ挿入して前記切り欠き部内へ納め、しかる後に、前記貫通孔内及び切り欠き部内へ硬化材を充填してスリーブ継手部分を固定しプレキャスト鉄筋コンクリート梁部材同士を接合することを特徴とする、プレキャスト鉄筋コンクリート梁部材同士の接合方法。
【請求項２】
プレキャスト鉄筋コンクリート梁部材同士の接合構造において、
梁部材の接合端部における上下面又は左右側面に切り欠き部が設けられ、同切り欠き部を貫通する貫通孔が設けられ、同貫通孔の一部又は全部に埋設したスリーブ継手を備えた構成の二つのプレキャスト鉄筋コンクリート梁部材同士が、ほぼ当接状態に近づけて対向配置に設けられていること、
前記二つのプレキャスト鉄筋コンクリート梁部材の前記貫通孔内へ跨って挿入可能なほぼＵ字形状の連結部材が、前記貫通孔内のスリーブ継手に対し両外側から挿入されて前記切り欠き部内に納められていること、
前記貫通孔内及び切り欠き部内に硬化材が充填されてスリーブ継手部分が固定されプレキャスト鉄筋コンクリート梁部材同士が接合されていることを特徴とする、プレキャスト鉄筋コンクリート梁部材同士の接合構造。
【請求項３】
前記梁部材同士の接合端面にはコッターが設けられていることを特徴とする、請求項２記載に記載したプレキャスト鉄筋コンクリート梁部材同士の接合構造。
【請求項４】
前記貫通孔内のスリーブ継手に対し両外側から挿入された連結部材は、Ｃ字形状の折り曲げ補強筋等の位置決め部材でその位置が拘束されていることを特徴とする、請求項２又は３に記載したプレキャスト鉄筋コンクリート梁部材同士の接合構造。
【請求項５】
前記切り欠き部は、プレキャスト鉄筋コンクリート梁部材の材軸方向に凹条に形成した切り欠き溝であることを特徴とする、請求項２〜４のいずれか一に記載したプレキャスト鉄筋コンクリート梁部材同士の接合構造。
【請求項６】
前記貫通孔は、プレキャスト鉄筋コンクリート梁部材の端面に対して平行配置に複数並設されていることを特徴とする、請求項２〜５のいずれか一に記載したプレキャスト鉄筋コンクリート梁部材同士の接合構造。
【請求項７】
前記貫通孔は、埋設されたスリーブ継手及びシース管とで形成されていることを特徴とする、請求項２〜６のいずれか一に記載したプレキャスト鉄筋コンクリート梁部材同士の接合構造。
【請求項８】
前記硬化材は、グラウト、モルタル、樹脂モルタル、エポキシ樹脂、若しくはコンクリート、又はこれらの組み合わせであることを特徴とする、請求項２〜７のいずれか一に記載したプレキャスト鉄筋コンクリート梁部材同士の接合構造。
【発明の詳細な説明】
【技術分野】
【０００１】
この発明は、プレキャスト鉄筋コンクリート（以下適宜、ＰＣａという。）梁部材同士の接合方法及び接合構造の技術分野に属する。
【背景技術】
【０００２】
従来、ＰＣａ梁部材同士の接合方法及び接合構造は、図６Ａ、Ｂに例示したように、対向するＰＣａ梁部材ａ、ａから突出した鉄筋ｂ、ｂ同士を接合してその接合部に後打ちコンクリート打設工事等の後工事（図示略）を行うことが一般的に行われる。ちなみに鉄筋ｂ、ｂ同士の接合（継手）方法には、圧接継手方法、溶接継手方法、機械式継手方法等が用いられ、前記鉄筋ｂ、ｂ同士を接合する作業を確実に行うべく、作業上の観点から、ＰＣａ梁部材ａ、ａ同士の間隔Ｌを１５０ｃｍ程度確保して行うのが一般的である（例えば、特許文献１の第１図、特許文献２の図４、及び特許文献３の図３参照）。ちなみに、図６Ａ、Ｂは、ＰＣａ柱部材ｅの上方に複数の柱主筋ｃを突き出した構造形式（所謂串刺し工法等）で構築する実施例を示している。図中の符号ｄは、支保工を示している。
【０００３】
しかしながら、前記従来のＰＣａ梁部材ａ、ａ同士の接合方法は、作業上の観点から、ＰＣａ梁部材ａ、ａ同士の間隔を１５０ｃｍ程度確保する必要があるので、前記鉄筋ｂ、ｂ同士の継手作業終了後は、梁部材ａ、ａ同士の間の隙間を埋めるべく、対向するＰＣａ梁部材ａ、ａ同士の接合部近傍にコンクリート打設用の型枠を設置しコンクリートを打設して前記鉄筋ｂ、ｂ同士の継手部分とＰＣａ梁部材ａ、ａ同士とを一体化させる大掛かりな後工事を行う必要があった。よって、工期が長期化し、不経済に過ぎるという問題があった。
【０００４】
ところで、図７は、ＰＣａ梁部材ａ、ａ同士の異なる接合方法を示している。この技術は、一方（図示例では左側）のＰＣａ梁部材ａに水平方向にスリーブ継手ｆを埋設し、他方（図示例では右側）のＰＣａ梁部材ａに水平方向に鉄筋ｂを突設させておき、当該他方のＰＣａ梁部材ａを水平方向（図示例では左方向）に移動させて当該鉄筋ｂを前記スリーブ継手ｆの内部へ挿入して納め、当該接合部分にグラウトを充填してＰＣａ梁部材ａ、ａ同士の接合作業を行っている（例えば、特許文献４の図３参照）。
【０００５】
この図７に係る技術によると、ＰＣａ梁部材ａ、ａ同士の間隔を殆ど空けることなく当該接合部分（隙間）にグラウトを充填する程度の作業でＰＣａ梁部材ａ、ａ同士を接合できる。よって、対向するＰＣａ梁部材ａ、ａ同士の接合部近傍にコンクリート打設用の型枠を設置しコンクリートを打設する等の大掛かりな後工事は不要となり、大幅に簡略化することができるので、図６Ａ、Ｂに係る技術と比して、後工事を簡略化させて工期の短縮を図ることができ、経済性に優れているように見える。
【０００６】
【特許文献１】特開平３−２１２５３７号公報
【特許文献２】特開平５−３４０００３号公報
【特許文献３】特開平５−８６６４３号公報
【特許文献４】特開２００４−３４６５８７号公報
【発明の開示】
【発明が解決しようとする課題】
【０００７】
図７（例えば、特許文献４）に係る技術は、図６Ａ、Ｂと比して、後工事を簡略化させて工期の短縮を図ることができるとは云うものの、それは、ＰＣａ梁部材ａの水平方向の動きを許容する、ＰＣａ柱部材ｅの下方に複数の柱主筋ｃを突き出した構造形式（所謂逆串刺し工法、逆挿し柱等）で実施する故にほかならない。
【０００８】
即ち、図６Ａ、Ｂに示したように、ＰＣａ柱部材ｅの上方に複数の柱主筋ｃを突き出した構造形式については、ＰＣａ梁部材ａの水平方向の動きが拘束されるので、図７に係る技術、すなわちＰＣａ梁部材を水平方向に移動させる技術は一切適用できず、依然として大掛かりな後工事を行う必要があり、工期が長期化し、不経済に過ぎるという問題は解消することができない。また、図７に係る技術は、図中の左側のＰＣａ梁部材ａをまず位置決めした後に、右側のＰＣａ梁部材ａを位置決めする等、いずれか一方のＰＣａ梁部材ａを位置決めしなければ他方のＰＣａ梁部材ａを位置決めすることはできず、施工手順に大きな制約を受けるので、工期の長期化の一因ともなっている。
【０００９】
本発明の目的は、ＰＣａ柱部材ｅの下方に複数の柱主筋ｃを突き出した構造形式（図７参照）は勿論のこと、ＰＣａ柱部材ｅの上方に複数の柱主筋ｃを突き出した構造形式（図６Ａ、Ｂ参照）に特に好適に実施することができ、ＰＣａ梁部材ａ、ａ同士を接合するにあたり、ＰＣａ梁部材ａを水平方向に移動させることなく大掛かりな後工事を飛躍的に簡略化させることができ、工期の短縮を実現し、施工性、経済性に優れた、プレキャスト鉄筋コンクリート梁部材同士の接合方法及び接合構造を提供することにある。
【課題を解決するための手段】
【００１０】
上記従来技術の課題を解決するための手段として、請求項１に記載した発明に係るプレキャスト鉄筋コンクリート梁部材同士の接合方法は、
プレキャスト鉄筋コンクリート梁部材同士の接合方法において、
梁部材の接合端部に切り欠き部を設け、同切り欠き部を貫通する貫通孔を設け、同貫通孔の一部又は全部に埋設したスリーブ継手を備えた構成の二つのプレキャスト鉄筋コンクリート梁部材同士を、ほぼ当接状態に近づけて対向配置に位置決めし、前記二つのプレキャスト鉄筋コンクリート梁部材の前記貫通孔内へ跨って挿入可能なほぼＵ字形状の連結部材を、外部から前記貫通孔内のスリーブ継手へ挿入して前記切り欠き部内へ納め、しかる後に、前記貫通孔内及び切り欠き部内へ硬化材を充填してスリーブ継手部分を固定しプレキャスト鉄筋コンクリート梁部材同士を接合することを特徴とする。
【００１１】
請求項２に記載した発明に係るプレキャスト鉄筋コンクリート梁部材同士の接合構造は、
プレキャスト鉄筋コンクリート梁部材同士の接合構造において、
梁部材の接合端部における上下面又は左右側面に切り欠き部が設けられ、同切り欠き部を貫通する貫通孔が設けられ、同貫通孔の一部又は全部に埋設したスリーブ継手を備えた構成の二つのプレキャスト鉄筋コンクリート梁部材同士が、ほぼ当接状態に近づけて対向配置に設けられていること、
前記二つのプレキャスト鉄筋コンクリート梁部材の前記貫通孔内へ跨って挿入可能なほぼＵ字形状の連結部材が、前記貫通孔内のスリーブ継手に対し両外側から挿入されて前記切り欠き部内に納められていること、
前記貫通孔内及び切り欠き部内に硬化材が充填されてスリーブ継手部分が固定されプレキャスト鉄筋コンクリート梁部材同士が接合されていることを特徴とする。
【００１２】
請求項３に記載した発明は、請求項２に記載したプレキャスト鉄筋コンクリート梁部材同士の接合構造において、前記梁部材同士の接合端面にはコッターが設けられていることを特徴とする。
【００１３】
請求項４に記載した発明は、請求項２又は３に記載したプレキャスト鉄筋コンクリート梁部材同士の接合構造において、前記貫通孔内のスリーブ継手に対し両外側から挿入された連結部材は、Ｃ字形状の折り曲げ補強筋等の位置決め部材でその位置が拘束されていることを特徴とする。
【００１４】
請求項５に記載した発明は、請求項２〜４のいずれか一に記載したプレキャスト鉄筋コンクリート梁部材同士の接合構造において、前記切り欠き部は、プレキャスト鉄筋コンクリート梁部材の材軸方向に凹条に形成した切り欠き溝であることを特徴とする。
【００１５】
請求項６に記載した発明は、請求項２〜５のいずれか一に記載したプレキャスト鉄筋コンクリート梁部材同士の接合構造において、前記貫通孔は、プレキャスト鉄筋コンクリート梁部材の端面に対して平行配置に複数並設されていることを特徴とする。
【００１６】
請求項７に記載した発明は、請求項２〜６のいずれか一に記載したプレキャスト鉄筋コンクリート梁部材同士の接合構造において、前記貫通孔は、埋設されたスリーブ継手及びシース管とで形成されていることを特徴とする。
【００１７】
請求項８に記載した発明は、請求項２〜７のいずれか一に記載したプレキャスト鉄筋コンクリート梁部材同士の接合構造において、前記硬化材は、グラウト、モルタル、樹脂モルタル、エポキシ樹脂、若しくはコンクリート、又はこれらの組み合わせであることを特徴とする。
【発明の効果】
【００１８】
請求項１〜請求項８に係るプレキャスト鉄筋コンクリート梁部材同士の接合方法及び接合構造によれば、ＰＣａ柱部材の下方に複数の柱主筋を突き出した構造形式（所謂逆串刺し工法、逆挿し柱、図７参照）は勿論のこと、ＰＣａ柱部材の上方に複数の柱主筋を突き出した構造形式（所謂串刺し工法、図６Ａ、Ｂ参照）に特に好適に実施することができ、ＰＣａ梁部材１、１同士を接合するにあたり、ＰＣａ梁部材１を水平方向に移動させることなく、鋼板等の簡易な型枠材の使用、及び少量のグラウト等の硬化材５の充填により、ＰＣａ梁部材１、１同士を確実に一体的に接合することができる。よって、大掛かりな後工事を飛躍的に簡略化させることができ、工期の大幅な短縮を実現することができるので、施工性、及び経済性に非常に優れている。
【発明を実施するための最良の形態】
【００１９】
本発明に係るプレキャスト鉄筋コンクリート（ＰＣａ）梁部材同士の接合方法及び接合構造は、上述した発明の効果を奏するべく、以下のように実施される。
【００２０】
図１は、請求項２に記載したプレキャスト鉄筋コンクリート梁（ＰＣａ梁）部材同士の接合構造を示している。このプレキャスト鉄筋コンクリート梁部材１、１同士の接合構造は、前記梁部材１の接合端部における上下面（又は左右側面）のほぼ中央部に切り欠き部１ａ、１ｂが設けられ、同切り欠き部１ａ、１ｂを鉛直方向に貫通する貫通孔２が設けられ、同貫通孔２の一部又は全部に、埋設したスリーブ継手３を備えた構成の二つのプレキャスト鉄筋コンクリート梁部材１、１同士が、ほぼ当接状態に近づけて対向配置に設けられている（図２と図３も参照）。また、前記二つのプレキャスト鉄筋コンクリート梁部材１、１の前記貫通孔２、２内へ跨って挿入可能なほぼＵ字形状の連結部材４が、前記貫通孔２、２内のスリーブ継手３、３に対し両外側から挿入されて前記切り欠き部１ａ、１ｂ内に納められている。前記貫通孔２内及び切り欠き部１ａ、１ｂ内にグラウト等の硬化材５が充填されてスリーブ継手３部分が固定されプレキャスト鉄筋コンクリート梁部材１、１同士が接合されている（請求項２記載の発明）。
【００２１】
図示例に係るＰＣａ梁部材１は、所謂逆梁工法に使用される幅寸が小さい梁部材同士１、１の接合構造を示しているがこれに限定されず、一般の柱梁架構に適用するＰＣａ梁部材同士の接合構造にも勿論適用可能である。ちなみに、図示例に係る梁部材１の幅寸は１８０ｍｍ程度、梁せいは７５０ｍｍ程度で実施している。
【００２２】
前記ＰＣａ梁部材１の接合端部における上下面に設ける切り欠き部１ａ、１ｂの形状は、グラウト等の硬化材５の充填量をできるだけ低減して経済性を高め、同硬化材５の充填作業の作業性を高める観点から、ＰＣａ梁部材１の材軸方向に凹条に形成した切り欠き溝１ａ、１ｂで実施している（請求項５記載の発明）。なお、前記切り欠き部１ａ、１ｂの形状は、前記切り欠き溝１ａ、１ｂに限定されるものではなく、図４に示したように、段状に形成して実施することもできる。また、本実施例に係る硬化材５は、グラウト５で実施しているが、充填部位の形状、大きさ、或いは要求される設計強度に応じてモルタル、樹脂モルタル、エポキシ樹脂、若しくはコンクリート、又はこれらの組み合わせでも実施することができる（請求項８記載の発明）。ちなみに、図示例に係る切り欠き溝１ａ、１ｂは共に、幅寸が８０ｍｍ程度、高さが１００ｍｍ程度、材軸方向の長さが１５０ｍｍ程度で実施している。
【００２３】
前記切り欠き部１ａ、１ｂを鉛直方向に貫通する貫通孔２は、本実施例では、各ＰＣａ梁部材１の端面に対して平行配置に２個並設して実施している。なお、前記貫通孔２の個数は勿論２個に限定されるものではなく使用するＰＣａ梁部材１の大きさ（特に幅寸）、及び要求される設計強度に応じて適宜増減可能である。また、図示例に係る隣接する貫通孔２、２は隙間無く並設して実施しているが、使用するＰＣａ梁部材１の大きさ（特に幅寸）、及び要求される設計強度に応じて所定の間隔を開けて設けることも勿論可能である（以上、請求項６記載の発明）。
【００２４】
この貫通孔２は、対向するＰＣａ梁部材１、１に前記Ｕ字形状の連結部材４がほぼ等分に跨って挿入できるように、左右対称配置に設けられている。本実施例に係る貫通孔２は、その鉛直方向の中央部にスリーブ継手３が埋設され、その上下にシース管７が埋設されることにより形成されている（請求項７記載の発明）。なお、前記シース管７は必須の構成部材ではなく、前記切り欠き部１ａ、１ｂを連通する貫通孔２を設けることができれば特に必要ではない。ちなみに、図示例に係る貫通孔２を形成する前記スリーブ継手３の内径は４０ｍｍ程度で、高さは２４０ｍｍ程度であり、シース管７の内径は３５ｍｍ程度である。
【００２５】
前記スリーブ継手３は、その上下方向から挿入されるＵ字形状の連結部材４を、その内部で定着させるために設けられる。このスリーブ継手３は、各貫通孔２のほぼ中央部に位置するように埋設されているが、同貫通孔２の全長に亘って設けて実施することも勿論できる。ただし、少なくとも、上下方向から挿入される前記連結部材４の先端部分がしっかり定着できる程度の高さは必要とすることに留意する。
【００２６】
前記貫通孔２を通ってスリーブ継手３の内部に先端部が差し込まれる前記連結部材４は、ほぼＵ字形状に折り曲げられた鉄筋（補強筋）が好適に使用される。この連結部材４は、対向するＰＣａ梁部材１、１にそれぞれ設けられた貫通孔２、２に跨って差し込むことにより、両者をしっかり位置決めしている。本実施例では、貫通孔２の個数に応じて前記ＰＣａ梁部材１の上部に２個、下部に２個の計４個使用して実施しているが、前記貫通孔２の個数、ひいては使用する前記梁部材１の大きさ（特に幅寸）、及び要求される設計強度に応じて適宜増減可能である。この連結部材４の所要高さは、前記スリーブ継手３の内部にその先端部を挿入して位置決めした状態で、前記切り欠き部１ａ（又は１ｂ）内に十分に収まる程度の高さ（必要な被り厚さを確保可能な高さ）で実施することに留意する。ちなみに、図示例に係る連結部材（補強筋）４は、径１６ｍｍ程度、所要高さが３４０ｍｍ程度で実施されている。
【００２７】
また、本実施例では、前記スリーブ継手３の内部に挿入された上下の連結部材（特に下方の連結部材）４の取付配置を拘束するべく、鉛直方向に細長いＣ字形状の折り曲げ補強筋等の位置決め部材６を、上下の連結部材４を包持するような形態で掛け止めて実施している（請求項４記載の発明）。この位置決め部材６は、前記連結部材４を位置決めするために設けるものであり、スリーブ継手３又は連結部材４の構造に工夫を施す等して上下の連結部材（特に下方の連結部材）４を位置決めすることができれば、特に必要ではない。前記位置決め部材６は、図１Ｃに示したように、上下の連結部材４に掛け止めた状態で、ＰＣａ梁部材１の縦断面内に収まる形状、大きさで実施することに留意する。ちなみに、図示例に係る位置決め部材６は、径１６ｍｍ程度、所要高さが７２０ｍｍ程度で実施されている。
【００２８】
かくして、対向配置に位置決めされた梁部材１、１同士の各貫通孔２に連結部材４が差し込まれ、同連結部材４が前記位置決め部材６で位置決めされた状態で、前記貫通孔２の内部及び切り欠き部１ａ、１ｂの内部に前記硬化材５が隙間なく充填されることにより、スリーブ継手３部分が固定されてプレキャスト鉄筋コンクリート梁部材１、１同士が一体的に接合され、しかる後、上下面及び左右側面が面一に仕上げ処理されたプレキャスト鉄筋コンクリート梁構造が構築されるのである（図１参照）。
【００２９】
以上説明したプレキャスト鉄筋コンクリート梁部材同士の接合構造は、下記する方法により施工される。即ち、プレキャスト鉄筋コンクリート梁部材１、１同士の接合方法は、ＰＣａ梁部材１の接合端部に切り欠き部１ａ、１ｂを設け、同切り欠き部１ａ、１ｂを貫通する貫通孔２を設け、同貫通孔２の一部又は全部に埋設したスリーブ継手３を備えた構成の二つの前記プレキャスト鉄筋コンクリート梁部材１、１同士を、ほぼ当接状態に近づけて対向配置に位置決めする。
【００３０】
このＰＣａ梁部材１、１の位置決め方法は、ＰＣａ柱部材の上方に複数の柱主筋を突き出した構造形式（所謂串刺し工法、図６Ａ、Ｂ参照）に適用する場合には、水平方向に移動させて位置決めすることはできないので、双方のＰＣａ梁部材１、１を吊り込むことにより対向配置に位置決めする。双方のＰＣａ梁部材１、１同士の間の隙間はほとんど隙間を空けないで実施できないことはないが、構造設計上、及び吊り込み作業上の観点から２ｃｍ程度の隙間を空けて実施することが好ましい。
【００３１】
次に、前記二つのＰＣａ梁部材１、１の前記貫通孔２、２内へ跨って挿入可能なほぼＵ字形状の連結部材４を、上方から、及び下方から前記貫通孔２、２内のスリーブ継手３、３の内部へ挿入して前記切り欠き部１ａ、１ｂ内へ納める。前記連結部材４は、双方のＰＣａ梁部材１、１にほぼ等分に跨って配置される。そして、上下の連結部材４、４を前記位置決め部材６で拘束して同上下の連結部材４、４をほぼ上下対称配置に位置決めする。続いて、対向するＰＣａ梁部材１、１の下側に鋼板等の簡易な型枠材を設けて、下方の切り欠き部１ｂから硬化材５の漏れを防止する処理を施した後、前記貫通孔２内及び切り欠き部１ａ、１ｂ内へ硬化材５を充填して養生することにより、スリーブ継手３部分を固定し、プレキャスト鉄筋コンクリート梁部材１、１同士を接合するのである（以上、請求項１記載の発明）。
【００３２】
したがって、このプレキャスト鉄筋コンクリート梁部材同士の接合方法、及び同方法により構築した接合構造によれば、ＰＣａ柱部材の下方に複数の柱主筋を突き出した構造形式（所謂逆串刺し工法、逆挿し柱、図７参照）は勿論のこと、ＰＣａ柱部材の上方に複数の柱主筋を突き出した構造形式（所謂串刺し工法、図６Ａ、Ｂ参照）に特に好適に実施することができ、ＰＣａ梁部材１、１同士を接合するにあたり、ＰＣａ梁部材１を水平方向に移動させることなく、鋼板等の簡易な型枠材の使用、及び少量のグラウト等の硬化材５の充填により、ＰＣａ梁部材１、１同士を確実に一体的に接合することができる。よって、
大掛かりな後工事を飛躍的に簡略化させることができ、工期の大幅な短縮を実現することができるので、施工性、及び経済性に非常に優れている。
【００３３】
ちなみに、図５は、ＰＣａ梁部材同士の接合構造の異なる実施例を示している。この実施例は、前記梁部材１、１同士の接合端面にコッター８を設けて実施している（請求項３記載の発明）。このコッター８は、一種のシアコネクターの役割を果たし、コッター８の内部にコンクリートやモルタル等の硬化材５を充填して接合することにより梁部材１、１同士の接合強度を高めることができる。また、この実施例では、隣接する連結部材４、４の間にプレート９を介在させて溶接し一体化することにより、同連結部材４、４のせん断力を向上させる工夫がなされている。なお、前記プレート９を使用する場合には、プレート９が切り欠き部１ａ、１ｂ内に収まるように、切り欠き部１ａ、１ｂの深さ、或いはプレート９の高さを適宜調整して実施することに留意する。したがって、図５に係る異なる実施例によれば、上記した作用効果に加えて、さらに強固なＰＣａ梁部材同士の接合構造を実現することができるのである。
【００３４】
以上に実施形態を図面に基づいて説明したが、本発明は、図示例の実施形態の限りではなく、その技術的思想を逸脱しない範囲において、当業者が通常に行う設計変更、応用のバリエーションの範囲を含むことを念のために言及する。
【００３５】
例えば、本実施例では、前記切り欠き部１ａ、１ｂ、及びスリーブ継手３等の大きさを具体的に例示しているが、これに限定されないのは勿論であり、様々なバリエーションで実施できる。ただし、本実施例のように、ＰＣａ梁１，１同士の接合部位及びその近傍位置に配設した切り欠き部１ａ、１ｂ、貫通孔２、スリーブ継手３、連結部材４、及び位置決め部材６等の構成要素の位置関係は、正面方向、及び平面方向から見て、ほぼ左右対称配置になるように実施することが良好な構造設計を実現する上で好ましい。
【００３６】
また、本実施例では、ＰＣａ梁部材１の接合端部における上下面に切り欠き部１ａ、１ｂを設け、同切り欠き部１ａ、１ｂを鉛直方向に貫通する貫通孔２を設け、同貫通孔２の内部に上下方向から前記連結部材４を差し込んで実施しているが、これに限定されず、ＰＣａ梁部材１の接合端部における左右側面に切り欠き部１ａ、１ｂを設け、同切り欠き部１ａ、１ｂを水平方向に貫通する貫通孔２を設け、同貫通孔２の内部に水平方向から前記連結部材４を差し込んで実施することもできる（図示省略）。
【図面の簡単な説明】
【００３７】
【図１】Ａは、プレキャスト鉄筋コンクリート梁部材同士の接合構造の枢要部を示した平面図であり、Ｂは、同正面図であり、Ｃは、同側断面図である。
【図２】プレキャスト鉄筋コンクリート梁部材同士の接合構造の枢要部を示した分解斜視図である。
【図３】プレキャスト鉄筋コンクリート梁部材同士の接合構造の枢要部を示した斜視図である。
【図４】プレキャスト鉄筋コンクリート梁部材同士の接合構造のバリエーションを示した斜視図である。
【図５】プレキャスト鉄筋コンクリート梁部材同士の接合構造の異なる実施例を示した分解斜視図である。
【図６】Ａ、Ｂは、従来技術に係るプレキャスト鉄筋コンクリート梁部材同士の接合構造の枢要部を示した正面図である。
【図７】従来技術に係るプレキャスト鉄筋コンクリート梁部材同士の接合構造の枢要部を示した正面図である。
【符号の説明】
【００３８】
１    梁部材
１ａ、１ｂ  切り欠き部
２    貫通孔
３    スリーブ継手
４    連結部材
５    硬化材（グラウト）
６    位置決め部材
７    シース管
８    コッター
９    プレート
【図１】
2008063802.tif 000003
【図２】
2008063802.tif 000004
【図３】
2008063802.tif 000005
【図４】
2008063802.tif 000006
【図５】
2008063802.tif 000007
【図６】
2008063802.tif 000008
【図７】
2008063802.tif 000009